(57)【特許請求の範囲】
【請求項１】
微生物の発育抑制物質を含有する固形薬剤と該固形薬剤を収納する複数の薬剤収納容器とを備えた薬液供給体からなり、薬剤収納容器と毛髪が通過しうる毛髪通過部が同一周上に交互に設けられ、前記薬剤収納容器の外側周面に排水の一部が流入・流出する外孔が設けられていることを特徴とする浴室排水口用ヌメリ取り器。
【請求項２】
薬剤収納容器を備えた薬液供給体が、複数の円弧状薬剤収納容器を有するリング状薬液供給体からなり、円弧状薬剤収納容器間に、毛髪が通過しうる毛髪通過部が設けられていることを特徴とする請求項１記載の浴室排水口用ヌメリ取り器。
【請求項３】
毛髪通過部が、リング状薬液供給体の円弧状薬剤収納容器間に設けられた毛髪流入穴であることを特徴とする請求項２記載の浴室排水口用ヌメリ取り器。
【請求項４】
毛髪通過部が、リング状薬液供給体の円弧状薬剤収納容器間に設けられた毛髪流入ゲートであることを特徴とする請求項２記載の浴室排水口用ヌメリ取り器。
【請求項５】
薬液供給体の薬剤収納容器の外側周面に設けられている、排水の一部が流入・流出する外孔が、外側周面下端を含む外孔であることを特徴とする請求項１〜４のいずれか記載の浴室排水口用ヌメリ取り器。
【請求項６】
薬液供給体の薬剤収納容器の外側周面に設けられている、排水の一部が流入・流出する外孔が、外側周面下端及び外側周面上端を含む外孔であることを特徴とする請求項１〜４のいずれか記載の浴室排水口用ヌメリ取り器。
【請求項７】
薬液供給体の薬剤収納容器が、その内側周面に排水による薬剤溶解液を排出する内孔を有し、その内孔の面積の和が外孔の面積の和よりも小さいことを特徴とする請求項１〜６のいずれか記載の浴室排水口用ヌメリ取り器。
【請求項８】
リング状薬液供給体が、浴槽排水管を有する排水口に装着しうるように、一部がカットされたリング状、又は手若しくは切断具でカットできる切取り予定部が設けられたリング状であることを特徴とする請求項２〜４のいずれか記載の浴室排水口用ヌメリ取り器。
【請求項９】
リング状薬液供給体が、その内側周面下端に囲まれる円形部分を、排水口へ流入する毛髪を補集する毛髪補集部として構成した薬液供給体であることを特徴とする請求項２〜４のいずれか記載の浴室排水口用ヌメリ取り器。
【請求項１０】
毛髪補集部に、各種排水管口の大きさに合わせて手でカットできるように、１以上の同心円の切取り予定部が設けられていることを特徴とする請求項９記載の浴室排水口用ヌメリ取り器。
【請求項１１】
リング状薬液供給体の外直径が、排水口の直径よりも大きいことを特徴とする請求項２〜４のいずれか記載の浴室排水口用ヌメリ取り器。
【発明の詳細な説明】
【０００１】
【発明の属する技術分野】
本発明は、浴室排水口用ヌメリ取り器、より詳しくは、微生物の発育抑制物質を含有する固形薬剤と、該固形薬剤を収納する円弧状薬剤収納容器と、毛髪が通過しうる毛髪通過部とが設けられているリング状薬液供給体からなり、排水口や排水管内壁の他、排水溝の内面、特にヌメリが発生しやすい排水口周辺の排水溝底面に発生する異臭やヌメリをも防除することができる浴室排水口用ヌメリ取り器に関する。
【０００２】
【従来の技術】
一般に浴室の排水口にあっては髪の毛や湯垢等のゴミを漉すために、メッシュやスリットからなる排水口の蓋（目皿）が設けられているが、目皿の目を透過した毛髪、湯垢等の細かなゴミが排水口や排水管内壁に付着し、これらが細菌の温床となり、異臭の発生やヌメリの原因となっていた。この問題を解決するために、排水の透過・流入を妨げない目の細かいシートやフィルターや網等を排水口の目皿を覆うように取付ることによって、細かいゴミを補集する様々なゴミ取り具が知られている（特開平６−２８５３０９号公報、特開平９−４００９号公報、特開平９−２２５２１４号公報、特開平１０−２５２１１５号公報、特開平１１−２９３７３６号公報等）。しかし、これらのゴミ取り具では、シートやフィルター等に停留した毛髪、石鹸、人の垢、界面活性剤等が細菌の栄養源となって、それら自体にヌメリが発生するばかりでなく、通水性が悪化するという問題があった。
また、台所流し台や浴室の排水口のヌメリの主成分は、食材、界面活性剤、石鹸、人の垢等が細菌の栄養源となり、そのとき細菌から分泌されるポリサッカライドであることが知られている。本発明者らは、固形薬剤を用いた浴室等の排水口用のヌメリ取り器等を既に数多く開発している。
【０００３】
本発明者らに係る特開２０００−１４４８４０号公報には、微生物の発育抑制物質を含有する固形薬剤と、排水口の入口部又は上部に設置可能な形状をした、該固形薬剤を収納する容器とからなり、該容器が、容器の上面及び／又は側面上部に設けられたゴミの流入を抑制する構造を有する排水流入孔と、容器の底部もしくは側面下部又はこれに加えて側面に設けられた溶解液流出孔と、排水の多くが固形薬剤と接触することなく排水口へ流下する構造とを有する、固形薬剤の溶解液をヌメリ発生壁面に広がらせることができる排水口用ヌメリ取り器が記載されている。
【０００４】
本発明者らに係る特開２００１−６５０２１号公報には、微生物の発育抑制物質を含有する固形物と、該固形物を収納する収納容器とからなり、該収納容器が、固形物に排水を接触させるための排水導入開口部と、排水に溶解した薬液の流出開口部と、収納容器を排水口の目皿の表裏いずれかの少なくとも一方の面に固定することができる固定部とを備えたことを特徴とする排水口用ヌメリ取り器が記載されている。
【０００５】
本発明者らに係る特開２００１−２４０５０３号公報には、微生物の発育抑制物質を含有する固形薬剤と、排水の流入と溶解液の流出が可能な前記固形薬剤を収納する薬剤容器と、該薬剤容器を挿着することができ、排水口の入口部又は上部に設置可能な形状をした蓋部とからなるヌメリ取り具において、前記蓋部が上蓋部と下蓋部とから構成され、上蓋部には、前記薬剤容器をその中心付近に挿着するための挿入口と、その上面を利用して排水の一部を前記薬剤容器中の固形薬剤と接触させるための導水部と、排水の多くを前記薬剤容器中の固形薬剤と接触させることなく排水するための陥入切開部とが設けられ、下蓋部には、前記上蓋部の挿入口から挿着された薬剤容器を所定の位置に保持するための当接部と、薬剤容器から流出した固形薬剤の溶解液をヌメリ発生面に広がらせるための外周下部に設けられた複数の溶解液排出孔と、前記上蓋部の陥入切開部からの排水を固形薬剤の溶解液と接触させることなく排水するための切欠きを囲む立設部とが設けられていることを特徴とする排水口用ヌメリ取り具が記載されている。
【０００６】
【発明が解決しようとする課題】
本発明の課題は、浴室の排水口にある目皿や排水口や排水管内壁に発生する異臭やヌメリを簡便に防除しうる浴室排水口用ヌメリ取り器を提供することにある。特に、最近増加している排水口が排水溝の底部に設けられ、通常は排水溝が蓋で覆われているタイプの浴室排水口（図１１及び図１２参照）への使用に適したヌメリ取り器で、排水口や排水管内壁の他、排水溝の内面、特にヌメリが発生しやすい排水口周辺の排水溝底面に発生するヌメリをも防除することができる排水溝排水口用ヌメリ取り器を提供することにある。
【０００７】
【課題を解決するための手段】
本発明者らは、特に浴室の排水口に適したヌメリ取り器を開発するために鋭意研究し、まず、微生物の発育抑制物質を含有する固形薬剤と該固形薬剤を収納するリング状薬剤収納容器とからなるヌメリ取り器を浴室排水口に置いて、排水を流し、薬剤溶解液の拡散状態について調べてみたところ、排水流量が多いときは薬剤溶解液が希釈され、有効な薬液濃度を得ることができず、有効な薬液濃度が得られるのはむしろ排水が流れ終わった後であることがわかった。また、リング状薬剤収納容器に設けられる排水の一部が流入・流出する孔の位置についても検討を行ったところ、排水の一部を流入させ、比較的高濃度の薬剤溶解液を持続的に流出させるには、リング状薬剤収納容器の外側周面に孔を設けることが、特に外側周面下端を含む孔を設けることが好ましいことがわかった。そこで、外側周面下端を含む孔を有するリング状薬剤収納容器に固形薬剤を充填し、浴室排水口に置いてランニングテストを２週間にわたって実施したところ、排水と共に流れてきた毛髪等がリング状薬剤収納容器の外側周面下端にまとわりつき孔が閉塞され、排水の一部を流入させて薬剤溶解液を持続的に流出させることが困難になることがわかった。そこで、リング状薬剤収納容器に複数の毛髪が通過しうる３箇所の毛髪通過部を設けたところ、毛髪等による孔の閉塞がなくなり、外側周面下端を含む孔から１ヶ月にわたって薬剤溶解液が持続的に流出し、浴室の排水口にある目皿や排水口や排水管内壁の他、排水溝の内面、特にヌメリが発生しやすい排水口周辺の排水溝底面に発生する異臭やヌメリをも防除しうることを確認し、本発明を完成するに至った。
【０００８】
すなわち本発明は、
（１）微生物の発育抑制物質を含有する固形薬剤と該固形薬剤を収納する複数の薬剤収納容器とを備えた薬液供給体からなり、前記薬剤収納容器と毛髪が通過しうる毛髪通過部が同一周上に交互に設けられ、前記薬剤収納容器の外側周面に排水の一部が流入・流出する外孔が設けられていることを特徴とする浴室排水口用ヌメリ取り器（請求項１）、
（２）薬剤収納容器を備えた薬液供給体が、複数の円弧状薬剤収納容器を有するリング状薬液供給体からなり、円弧状薬剤収納容器間に、毛髪が通過しうる毛髪通過部が設けられていることを特徴とする上記（１）記載の浴室排水口用ヌメリ取り器（請求項２）、
（３）毛髪通過部が、リング状薬液供給体の円弧状薬剤収納容器間に設けられた毛髪流入穴であることを特徴とする上記（２）記載の浴室排水口用ヌメリ取り器（請求項３）、
（４）毛髪通過部が、リング状薬液供給体の円弧状薬剤収納容器間に設けられた毛髪流入ゲートであることを特徴とする上記（２）記載の浴室排水口用ヌメリ取り器（請求項４）、
（５）薬液供給体の薬剤収納容器の外側周面に設けられている、排水の一部が流入・流出する外孔が、外側周面下端を含む外孔であることを特徴とする上記（１）〜（４）のいずれか記載の浴室排水口用ヌメリ取り器（請求項５）、
（６）薬液供給体の薬剤収納容器の外側周面に設けられている、排水の一部が流入・流出する外孔が、外側周面下端及び外側周面上端を含む外孔であることを特徴とする上記（１）〜（４）のいずれか記載の浴室排水口用ヌメリ取り器（請求項６）、
（７）薬液供給体の薬剤収納容器が、その内側周面に排水による薬剤溶解液を排出する内孔を有し、その内孔の面積の和が外孔の面積の和よりも小さいことを特徴とする上記（１）〜（６）のいずれか記載の浴室排水口用ヌメリ取り器（請求項７）に関する。
【０００９】
また本発明は、
（８）リング状薬液供給体が、浴槽排水管を有する排水口に装着しうるように、一部がカットされたリング状、又は手若しくは切断具でカットできる切取り予定部が設けられたリング状であることを特徴とする上記（２）〜（４）のいずれか記載の浴室排水口用ヌメリ取り器（請求項８）、
（９）リング状薬液供給体が、その内側周面下端に囲まれる円形部分を、排水口へ流入する毛髪を補集する毛髪補集部として構成した薬液供給体であることを特徴とする上記（２）〜（４）のいずれか記載の浴室排水口用ヌメリ取り器（請求項９）、
（１０）毛髪補集部に、各種排水管口の大きさに合わせて手でカットできるように、１以上の同心円の切取り予定部が設けられていることを特徴とする上記（９）記載の浴室排水口用ヌメリ取り器（請求項１０）、及び
(１１)リング状薬液供給体の外直径が、排水口の直径よりも大きいことを特徴とする上記（２）〜（４）のいずれか記載の浴室排水口用ヌメリ取り器（請求項１１）に関する。
【００１０】
【発明の実施の形態】
本発明の浴室排水口用ヌメリ取り器としては、微生物の発育抑制物質を含有する固形薬剤と該固形薬剤を収納する薬剤収納容器とを備えた薬液供給体からなり、該薬液供給体には毛髪が通過しうる毛髪通過部が設けられ、前記薬剤収納容器の外側周面に排水の一部が流入・流出する外孔が設けられているものであればどのようなものでもよく、上記微生物の発育を抑制する物質としては、各種公知の殺菌剤、抗菌剤が使用可能であり、一般的な防黴剤又は抗細菌剤として知られている化合物や抗菌作用を有する天然精油類等であればどのようなものでも使用することができるが、広い抗菌スペクトルを有するものが好ましい。
【００１１】
本発明における微生物の発育を抑制する物質として、例えば、塩素系酸化剤としては、ジクロロジメチルヒダントイン、ブロモクロルジメチルヒダントイン、ジクロルイソシアヌル酸ナトリウム、ジクロルイソシアヌル酸カリウム、ジクロルイソシアヌル酸ナトリウムの水和物（２水和物等）、ジクロルイソシアヌル酸カリウムの水和物及びトリクロルイソシアヌル酸、次亜塩素酸カルシウム等を例示することができ、また、塩素系酸化剤以外の薬剤としては、過炭素ナトリウム、過硫酸カリウム、過ほう酸ナトリウム、オルトフェニルフェノール、ジフェニル、２−イソプロピル−５−メチルフェノール、パラクロロメタキシレノール、パラヒドロキシ安息香酸ｎ−ブチル、パラヒドロキシ安息香酸エチル、パラヒドロキシ安息香酸メチル、塩化ベンザルコニウム、塩化ベンゼトニウム、塩酸クロルへキシジン、グルコン酸クロルヘキシジン、メチレンビスチオシアネート、２−ピリジンチオール−１−オキシド、２−ピリジンチオール−１−オキシド亜鉛、２−ピリジンチオール−１−オキシドナトリウム、Ｎ，Ｎ′−ヘキサメチレンビス（４−カルバモイル−１−デシルピリジニウムブロマイド）、４，４′−（テトラメチレンジアミノ）ビス（１−デシルピリジニウムブロマイド）、２−ブロモ−２−ニトロプロパン−１，３−ジオール等を例示することができる。
【００１２】
また、本発明における微生物の発育を抑制する物質として、防黴剤又は抗細菌剤と多分子系ホスト化合物とからなる包接化合物を有利に用いることができる。この包接化合物を用いる場合、防黴剤又は抗細菌剤としては、例えば、５−クロロ−２−メチル−４−イソチアゾリン−３−オン、２−メチル−４−イソチアゾリン−３−オン、４，５−ジクロロ−３−ｎ−オクチル−イソチアゾリン−３−オン、１，２−ベンズイソチアゾリン−３−オン、２−メトキシカルボニルベンズイミダゾール、２，３，５，６−テトラクロロ−４−メタンスルホニルピリジン、２−チオシアノメチベンゾチアゾール、２，２−ジチオ−ビス−（ピリジン−１−オキサイド）、３，３，４，４−テトラハイドロチオフェン−１，１−ジオキサイド、４，５−ジクロロ−１，２−ジチオラン−３−オン、５−クロロ−４−フェニル−１，２−ジチオラン−３−オン、Ｎ−メチルピロリドン、フェニル−（２−シアノ−２−クロロビニル）スルホン、メチレンビスチオシアネート、２−ブロモ−２−ニトロプロパン−１，３−ジオール、２，２−ジブロモ−２−エタノール、２−ブロモ−４′−ヒドロキシアセトフェノン、ジブロモニトリルプロピオンアミド、２−ブロモ−２−ブロモメチルグルタルニトリル等を、また天然製油類としては、例えば、シネオール、ヒノキチオール、メントール、テルピネオール、ボルネオール、ノポール、シトラール、シトロネラール、シトロネロール、ゲラニオール、リナロール、ジメチルオクタノール、チモール等を例示することができる。
【００１３】
ここで、多分子系ホスト化合物とは、ゲストとなる抗菌剤とともに結晶性錯体（包接化合物）を形成する化合物をいい、上記の性質を有する化合物であれば特に制限されないが、例えば、テトラキスフェノ−ル類、１，１，６，６−テトラフェニル−２，４−ヘキサジイン−１，６−ジオール、１，６−ビス（２−クロロフェニル）−１，６−ジフェニルヘキサン−２，４−ジイン−１，６−ジオール、１，１，４，４−テトラフェニル−２−ブチン−１，４−ジオール、２，５−ビス（２，４−ジメチルフェニル）ハイドロキノン、１，１−ビス（２，４−ジメチルフェニル）−２−プロピン−１−オール、１，１，２，２−テトラフェニルエタン−１，２−ジオール、１，１′−ビス−２−ナフトール、９，１０−ジフェニル−９，１０−ジヒドロキシアントラセン、１，１，６，６−テトラ（２，４−ジメチルフェニル）−２，４−ヘキサジイン−１，６−ジオール、９，１０−ビス（４−メチルフェニル）−９，１０−ジヒドロキシアントラセン、１，１−ビス（４−ヒドロキシフェニル）シクロヘキサン、Ｎ，Ｎ，Ｎ′，Ｎ′−テトラキス（シクロヘキシル）−（１，１′−ビフェニル）−２−２′−ジカルボキシアミド、４，４′−スルホニルビスフェノール、４，４′−ブチリデンビス（３−メチル−６−ｔｅｒｔ−ブチルフェノール）、２，２′−メチレンビス（４−メチル−６−ｔｅｒｔ−ブチルフェノール）、４，４′−チオビス（４−クロロフェノール）、２，２′−メチレンビス（４−クロロフェノール）、デオキシコール酸、コール酸、α，α，α′，α′−テトラフェニル−１，１′−ビフェニル−２，２′−ジメタノール、ｔ−ブチルヒドロキノン、２，５−ジ−ｔｅｒｔ−ブチルヒドロキノン、顆粒状コーンスターチ、１，４−ジアザビシクロ−（２，２，２）−オクタン、３，３′−ビスフェニルスルフォニル−４，４′−ジヒドロキシフェニルスルフォン、トリ−ｏ−チモチドを例示することができる。
【００１４】
また、上記のテトラキスフェノ−ル類としては、例えば、１，１，２，２−テトラキス（４−ヒドロキシフェニル）エタン、１，１，２，２−テトラキス（３−フルオロ−４−ヒドロキシフェニル）エタン、１，１，２，２−テトラキス（３−クロロ−４−ヒドロキシフェニル）エタン、１，１，２，２−テトラキス（３−メチル−４−ヒドロキシフェニル）エタン、１，１，２，２−テトラキス（３−メトキシ−４−ヒドロキシフェニル）エタン、１，１，２，２−テトラキス（３，５−ジメチル−４−ヒドロキシフェニル）エタン、１，１，３，３−テトラキス（４−ヒドロキシフェニル）プロパン、１，１，３，３−テトラキス（３−フルオロ−４−ヒドロキシフェニル）プロパン、１，１，３，３−テトラキス（３−クロロ−４−ヒドロキシフェニル）プロパン、１，１，３，３−テトラキス（３−メチル−４−ヒドロキシフェニル）プロパン、１，１，３，３−テトラキス（３−メトキシ−４−ヒドロキシフェニル）プロパン、１，１，３，３−テトラキス（３，５−ジメチル−４−ヒドロキシフェニル）プロパン、１，１，４，４−テトラキス（４−ヒドロキシフェニル）ブタン、１，１，４，４−テトラキス（３−フルオロ−４−ヒドロキシフェニル）ブタン、１，１，４，４−テトラキス（３−クロロ−４−ヒドロキシフェニル）ブタン、１，１，４，４−テトラキス（３−メチル−４−ヒドロキシフェニル）ブタン、１，１，４，４−テトラキス（３−メトキシ−４−ヒドロキシフェニル）ブタン、１，１，４，４−テトラキス（３，５−ジメチル−４−ヒドロキシフェニル）ブタン、１，１，５，５−テトラキス（４−ヒドロキシフェニル）ペンタン、１，１，５，５−テトラキス（３−フルオロ−４−ヒドロキシフェニル）ペンタン、１，１，５，５−テトラキス（３−クロロ−４−ヒドロキシフェニル）ペンタン、１，１，５，５−テトラキス（３−メチル−４−ヒドロキシフェニル）ペンタン、１，１，５，５−テトラキス（３−メトキシ−４−ヒドロキシフェニル）ペンタン、１，１，５，５−テトラキス（３，５−ジメチル−４−ヒドロキシフェニル）ペンタン等テトラキス（ヒドロキシフェニル）アルカン類を具体的に例示することができる。
【００１５】
本発明における微生物の発育を抑制する物質として、他の抗菌剤に比較して抗菌スペクトルが広く、人体に安全な有機ヨード系抗菌剤も有利に用いることができる。この場合、有機ヨード系抗菌剤であれば特に制限はないが固体のものが望ましく、例えば、２，３，３−トリヨードアリルアルコール類、２，３，３−トリヨードアリルエーテル類、２，３，３−トリヨードアリルアゾール類、３−ヨード−２−プロパギルブチルカルバミン酸、４−クロロフェニル（３−ヨードプロパギル）ホルマール、ヨードプロパギルアゾール類、ジヨード−パラ−トリスルホン、ポピドンヨード、ベンジルヨード酢酸エステル及びパラニトロベンジルヨード酢酸エステルを例示することができ、これらは単独又は２種以上混合して使用される。
【００１６】
また、微生物の発育を抑制する物質として、前記の各種公知の殺菌剤、抗菌剤、防黴剤等やそれらを含有する公知のヌメリ防除剤、あるいは上記包接化合物や有機ヨード系抗菌剤を用いる場合、有効成分が排水と接触した際必要以上に流出することを防止し、適度な速度で接触した排水に溶解させるため、適宜配合物と混合して加圧成形、加熱溶融混合、混練り押し出し成形等の公知の方法により適当な大きさに成形することができる。
【００１７】
加圧成形する場合の配合物としては、各種公知の賦形剤、溶解調整剤、結合剤、滑沢剤、界面活性剤、腐食防止剤等を例示することができる。特に界面活性剤は溶解液がヌメリ発生壁面に広がりやすくし、かつ蓋や容器が油で汚れることを防止するのに有効である。また、苦味付与成分、辛味付与成分などを添加して、薬剤が誤って乳幼児が口に入れた場合も飲み込まないようにすることもできる。
【００１８】
賦形剤、結合剤、溶解調整剤としては、フマル酸、安息香酸、アジピン酸、コハク酸、ｄｌ−リンゴ酸、クエン酸、アスコルビン酸、マロン酸、グリコール酸等の各種有機酸、無機酸、乳糖、ブドウ糖等の糖類、コーンスターチ等の各種デンプン、燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、結晶セルロース、粉末セルロース、塩化ナトリウム、硫酸マグネシウム、硫酸カリウム、合成珪酸アルミニウム、三珪酸マグネシウム、メチルセルロース、エチルセルロース、カルボキシメチルセルロース、カルボキシメチルセルロースナトリウム、カルボキシメチルセルロースカルシウム、ヒドロキシプロピルセルロース、ポリビニルアルコール、ポリビニルピロリドン、アルギン酸ナトリウム、アラビアゴム（粉末）、ショ糖脂肪酸エステル、Ｃ14〜Ｃ24の飽和脂肪酸類等を挙げることができるが、その中でも特に燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、乳糖、ヒドロキシプロピルセルロース、アラビアゴム（粉末）、ポリビニルアルコール、ポリビニルピロリドン、デキストリン、Ｃ14〜Ｃ24の飽和脂肪酸類等は加圧成形性を向上することができ、また、各種洗剤等が混入しても反応して有毒ガス等が発生することが無いので好ましく、これら賦形剤や結合剤、溶解調整剤は全固形薬剤重量に対して１〜９９重量％の割合で添加することができる。
【００１９】
滑沢剤としては、ステアリン酸マグネシウム、ステアリン酸カルシウム、ショ糖脂肪酸エステル、安息香酸ナトリウム、シリカ、タルク、ワックス類等を例示することができ、これら滑沢剤は全固形薬剤重量に対して０．０１〜１０重量％の割合で使用することができる。
【００２０】
界面活性剤としては、アルキルアルカノールアミド類、ジアルキルスルホコハク酸ナトリウム、ラウリル硫酸ナトリウム等を例示することができ、これら界面活性剤は全固形薬剤重量に対して０．５〜１０重量％の割合で使用することができる。また、腐食防止剤としては、アルキルチオ尿素系やトリアゾール系化合物を例示することができ、これらを使用すると配管などの金属部分の腐食を抑制することができる。
【００２１】
加熱溶融混合の場合や混練り押し出し成形する場合の配合物としては、融点が４０〜１００℃で固体であるものが好ましく、ポリオキシエチレン等の各種の水溶性高分子類、ポリオキシエチレンポリオキシプロピレンブロックポリマー、ポリオキシエチレンアルキルフェニルエーテル、ポリエチレングリコール脂肪酸エステル類、グリセリン脂肪酸エステル類、ポリオキシエチレンアルキルエーテル類等の界面活性剤を例示することができる。
【００２２】
また、固形薬剤の形状としては、球状、錠剤状、円柱状、直方体状、角錐状、ドーナツ状等どのような形態でもよく、その大きさも容器に収容しうる大きさであればどのようなものでもよい。固形薬剤の使用の形態としては、円弧状薬剤収納容器の形状に合わせて、例えば円弧状のものを１個用いる場合もあるが、小粒のものを多数使用することもできる。小粒のものを多数使用する場合、同種のものを用いるほか、例えば配合成分の異なる薬剤や溶解度が異なる薬剤等異種の複数の小粒の固形薬剤を用いることもできる。なお、本発明における固形薬剤には、有効成分が排水と接触した際必要以上に流出することを防止することができ、適度な速度で接触した排水に溶解させることができる形態のもの、例えばヌメリ防除剤等が不織布、紙、フィルム等の透水性の袋やチューブ等に収容されているものや、ヌメリ防除剤等がスポンジ、樹脂発泡体等に担持されているものや、液体のヌメリ防除剤等が多孔質鉱物などに含浸されているものも便宜上含まれる。なお、円弧状薬剤収納容器内の固形薬剤の移動を防止するために、薬剤収納容器の上面及び／又は下面を断面凹状とすることもできる。この場合、固形薬剤に過剰な圧力がかかるのを防ぐため、凹部にスリットを設けることが好ましい。
【００２３】
次に、本発明の浴室排水口用ヌメリ取り器における薬剤収納容器を備えた薬液供給体としては、複数の円弧状薬剤収納容器を有するリング状薬液供給体からなり、円弧状薬剤収納容器間に、毛髪が通過しうる毛髪通過部が設けられている薬液供給体、すなわち、同一円周上に円弧状薬剤収納容器と毛髪通過部とが交互に連結状態で設けられているリング状薬液供給体や、同一円周上に円弧状薬剤収納容器と毛髪通過部とが交互に設けられ、円弧状薬剤収納容器同士が、中心から半径方向に延びる連結棒で互いに固定されている薬液供給体や、その直径を異にする円弧状薬剤収納容器が全方位的に交互に設けられ、それらの端部同士により形成される段差を毛髪通過部とし、中心から半径方向に延びる連結棒で互いに固定されている薬液供給体や、横長三角状、横長四角状、横長台形状等の薬剤収納容器と毛髪通過部とが交互に設けられ、かかる薬剤収納容器同士が互いに固定、例えば、中心から半径方向に延びる連結棒で互いに固定されている薬液供給体などを例示することができるが、製造方法の簡便さ等から、リング状薬液供給体、特に、円弧状薬剤収納容器間に設けられた毛髪流入穴又は毛髪流入ゲートを毛髪通過部とするリング状薬液供給体が好ましい。また、本発明の浴室排水口用ヌメリ取り器の大きさは、浴室の排水口の周囲に載置しうる大きさであれば制限されるものではなく、例えば、リング状薬液供給体の場合、その外直径が１０５ｍｍ以上など、排水口の直径よりも大きいものが用いられる。さらに、浴室排水口には、浴槽排水が配水管を通じて直接排水口に流れ込むタイプの浴室排水口（図１２参照）も存在することから、該浴槽排水管に装着しうるように、一部がカットされたリング状、又は手若しくは挟み等の切断具で容易にカットできる切取り予定部が設けられたリング状とすることもできる。
【００２４】
上記円弧状薬剤収納容器等の薬剤収納容器としては、固形薬剤を収納することができるものであれば特に制限されないが、下面が平坦な構造の容器が安定的に排水口近傍に載置する上で好ましい。かかる円弧状薬剤収納容器等の薬剤収納容器には、排水の一部が流入し、流入した排水が容器内に収納されている固形薬剤を溶解し、固形薬剤溶解液を比較的高濃度で持続的に流出させるための、容器の外側周面に外孔、好ましくは外側周面下端を含む外孔が複数設けられる。外側周面下端を含む外孔としては、外側周面下端から外側周面の上方に延びるスリット状の外孔を挙げることができる。このように、円弧状薬剤収納容器等の薬剤収納容器に設けられる孔は、容器の外側周面に設けられる外孔が必要であるが、その他容器の内側周面、上面、下面にも孔を適宜設けることもできる。これらの中でも、円弧状薬剤収納容器等の薬剤収納容器の内側周面に排水による薬剤溶解液を排出する内孔を、内孔の面積の和が外孔の面積の和よりも小さくなるように設けることが、比較的高濃度の薬剤溶解液を持続的に流出させる上で好ましい。その他、空気抜きの目的で上面に上孔を設けることもできる。また、上記スリット状の外孔等のスリット状孔のスリットの幅は、０．５〜４ｍｍ、さらに０．５〜３ｍｍ、特に１〜２ｍｍが好ましい。スリット幅が０．５ｍｍ以上であると水の表面張力の均衡が破れ、排水を容器内に流入させることができる。また、スリット幅が４ｍｍ以下好ましくは３ｍｍ以下であると毛髪等の異物の流入を極力防止することができる。なお、前記の薬剤収納容器外側周面に設ける外孔として、外側周面下端を含む外孔とともに外側周面上端を含む外孔を設けると、本発明のヌメリ取り器の天地を気にすることなく浴室の排水口へ設置することができる。この場合、外側周面下面を含む外孔（下孔）は主に排水の流入・流出孔として、外側周面上面を含む外孔（上孔）は主に空気抜き及び／又は排水の流入孔としての機能を担うことになる。
【００２５】
円弧状薬剤収納容器等の薬剤収納容器は通常プラスチックから作られるが、必要に応じて、容器に親水処理や撥水処理を施すこともできる。親水処理や撥水処理は、例えば、容器に親水性又は撥水性の樹脂材料を用いたり、容器の樹脂に親水性又は撥水性の界面活性剤を練り込んだ材料を用いたり、あるいは容器の表面に親水性又は撥水性のコーティング剤、塗料を塗布することにより行うことができる。容器の材質の全部又は一部、例えば薬剤収納容器を親水性とすることにより、水の表面張力の影響を小さくすることができ、該容器に設けられた外孔から容器内へ排水をより円滑に流入させることができる。反対に、容器の材質の全部又は一部を撥水性とすることにより、水溶性汚れ物質による汚れの付着を防止することができる。
【００２６】
上記毛髪通過部としては、毛髪等の異物が通過しうるスペースであればよく、前記リング状薬液供給体の場合、例えば円周の１／１２程度の毛髪通過部を３箇所設けると、円弧状薬剤収納容器部分に比べて、毛髪通過部では排水の流速が大きく、毛髪が円弧状薬剤収納容器部分にまつわりつくことなく、排水口の方に流れ込み、目皿により捕集されることになる。かかる毛髪通過部としては、毛髪流入穴や該流入穴の下部のないゲート状の毛髪流入ゲートを具体的に例示することができ、特に、ゲート状の毛髪流入ゲートを設けると、毛髪が円弧状薬剤収納容器部分に何らまつわりつくことなく、排水口の方に流れ込み、その大部分が目皿により捕集されることになる。また、リング状薬液供給体の内側周面下端に囲まれる円形部分を、排水口へ流入する毛髪を補集する毛髪補集部として構成しておくと、かかる毛髪補集部に毛髪が捕集され、目皿から毛髪を除去する手間を省くことができる。上記毛髪補集部は通水性素材から作られる。通水性素材から作られる毛髪補集部としては、例えば、布状、フィルム状、紙状、網状等のシート状のプラスチック、紙、繊維、金属等を例示することができ、具体的には、不織布、合成樹脂製網、通水孔を有する合成樹脂シート、通水孔を有する合成樹脂フィルム、フェルト等を挙げることができる。また、浴室排水口には浴槽内の水をホースにより排水するタイプも存在することから、毛髪補集部に、各種排水管口の大きさに合わせて手でカットできるように、１以上の同心円の切取り予定部を設けておくこともできる。
【００２７】
【実施例】
次に、本発明の浴室排水口用ヌメリ取り器について図面に基づき具体的に説明するが、本発明の技術的範囲はこれらのものに何ら限定されるものではない。なお、図中、１はリング状薬液供給体、２は円弧状薬剤収納容器、３は外側周面、４は外孔、５は内側周面、６は内孔、７は毛髪通過部、８は毛髪補集部、９は毛髪補集部の切取り予定部、１０は固形薬剤、１１は横長台形状薬剤収納容器、１２は薬剤収納容器連結棒、１３は上孔、１４は断面凹状の薬剤収納容器上面、１５は断面凹状の薬剤収納容器下面、１６はスリット、１７はリング状薬液供給体の切取り予定部、Ｍは目皿、Ｄは排水溝、Ｇは排水溝の蓋、Ｈは排水口、Ｐは排水管をそれぞれ示す。
【００２８】
図１には、リング状薬液供給体１からなる本発明の浴室排水口用ヌメリ取り器が示されている。リング状薬液供給体１は、３つの円弧状薬剤収納容器２と３箇所の毛髪流入穴（毛髪通過部）７から構成されており、各円弧状薬剤収納容器２の外側周面３には２つの下端を含む外孔４が、内側周面５には１つの内孔６がそれぞれ設けられている。図２には、図１に示されるリング状薬液供給体とほぼ同様の態様であるが、各円弧状薬剤収納容器２の外側周面３に、外孔４として下端を含む外孔（下孔）と上端を含む外孔（上孔）とが設けられ、内側周面５に内孔６が設けられているリング状薬液供給体１が示されている。下孔は主に排水の流入・流出孔として、上孔は主に空気穴及び／又は排水の流入孔として機能するが、下孔と上孔とが設けられたリング状薬液供給体１では、天地を気にすることなく浴室の排水口に設置することができる。図３には、３つの円弧状薬剤収納容器２と３箇所の毛髪流入ゲート（毛髪通過部）７から構成されるリング状薬液供給体１が示されている。ゲート状の毛髪流入ゲート７は、毛髪が円弧状薬剤収納容器部分に何らまつわりつくことなく、排水口の方に流れ込み、その大部分が目皿により捕集されることになる。図４には、図３に示されるリング状薬液供給体１の円弧状薬剤収納容器２の概略断面図が示されている。円弧状薬剤収納容器２内の固形薬剤１０の移動を防止するため、円弧状薬剤収納容器２の上面１４及び下面１５が断面凹状とされ、さらに固形薬剤１０に過剰な圧力がかかるのを防ぐため、凹部にスリット１６が設けられている。図５（ａ）には、一部がカットされたリング状薬液供給体１が、図５（ｂ）には、手若しくは挟み等の切断具で容易にカットできる切取り予定部１７が設けられたリング状薬液供給体１が示されている。一部カットされたリング状薬液供給体１は、浴槽の排水が配水管を通じて浴室排水溝に流れ込むタイプの浴室排水口（図１２）において、排水管を取り外す等の手間がかかることなく簡便に装着することができる。図６には、図１〜図５に示される固形薬剤１０が収納された排水口用ヌメリ取り器を、浴室排水溝に設けられた排水口Ｈに載置したところが示されている。
【００２９】
図７には、シート状の毛髪補集部８を備えたリング状薬液供給体１からなる本発明の浴室排水口用ヌメリ取り器が示されている。図８には、図７に示される固形薬剤１０が収納され、シート状の毛髪補集部８を備えた排水口用ヌメリ取り器を、浴室排水溝に設けられた排水口Ｈに載置したところが示されている。図９には、切取り予定部９を有するシート状の毛髪補集部８を備えたリング状薬液供給体１からなる本発明の浴室排水口用ヌメリ取り器が示されている。図１０には、複数の外側周面下端を含む外孔４と空気抜きの上孔１３を有する、横長台形状の４つの薬剤収納容器１１と４つの毛髪通過部７とが交互に設けられ、かかる薬剤収納容器１１同士が中心から半径方向に延びる連結棒１２で互いに固定されている薬液供給体からなる本発明の浴室排水口用ヌメリ取り器が示されている。
【００３０】
また、固形薬剤としては次のものを用いた。ＴＥＰ・ＣＭＩ［ゲスト化合物となる抗菌剤として、２モルの５−クロロ−２−メチル−４−イソチアゾリン−３−オンと、多分子系ホスト化合物として、１モルの１，１，２，２−テトラキス（４−ヒドロキシフェニル）エタンとの反応により得られた包接化合物］５重量部と、基材としてのアセト酢酸−ｏ−トルイダイド９５重量部からなる混合物を、Φ１０ｍｍ金型を設置した連続油圧打錠機に設置し、打錠圧２ｔ／ｃｍ2で重量０．６ｇの錠剤に打錠することにより、固形薬剤を調製した。
【００３１】
本発明の浴室排水口用ヌメリ取り器１は、図１１や図１２に示されるように、排水口Ｈが排水溝Ｄの底部に設けられ、通常は排水溝蓋Ｇで覆われているタイプの排水溝排水口に特に有利に用いることができ、本発明の浴室排水口用ヌメリ取り器１を目皿周辺部に載置することにより、目皿Ｍや排水口Ｈや配水管Ｐ１の内壁の他、排水溝Ｄの内面（底面Ｄ１と側壁面Ｄ２）、特にヌメリが発生しやすい排水口Ｈ周辺の排水溝底面Ｄ１に発生する異臭やヌメリをも防除することができる。
【００３２】
【発明の効果】
本発明の浴室排水口用ヌメリ取り器を用いると、毛髪等が薬剤収納容器の外側周面下端にまとわりつくことがなく、薬剤収納容器の外側周面に設けられた外孔が閉塞されず、かかる外孔から比較的高濃度の薬剤溶解液を持続的に流出させることができ、浴室の排水口にある目皿や排水口や排水管内壁の他、排水溝の内面、特にヌメリが発生しやすい排水口周辺の排水溝底面に発生する異臭やヌメリを簡便に防除することができる。
【図面の簡単な説明】
【図１】本発明の浴室排水口用ヌメリ取り器の斜視図である。
【図２】本発明の外側周面の外孔として下孔及び上孔を有する浴室排水口用ヌメリ取り器の斜視図である。
【図３】本発明の毛髪流入ゲートを有する浴室排水口用ヌメリ取り器の斜視図である。
【図４】図３に示される本発明の浴室排水口用ヌメリ取り器における薬剤収納部の概略縦断面図である。
【図５】本発明の浴槽配水管のある浴室排水口に装着可能な浴室排水口用ヌメリ取り器の斜視図である。
【図６】図１〜図５に示される本発明の浴室排水口用ヌメリ取り器を排水口に載置したときの概略縦断面図である。
【図７】本発明の毛髪補集部を備えた浴室排水口用ヌメリ取り器の斜視図である。
【図８】図７に示される本発明の浴室排水口用ヌメリ取り器を排水口に載置したときの概略縦断面図である。
【図９】本発明の切取り予定部を有する毛髪補集部を備えた浴室排水口用ヌメリ取り器の斜視図である。
【図１０】他の態様の本発明の浴室排水口用ヌメリ取り器の斜視図である。
【図１１】本発明の浴室排水口用ヌメリ取り器を設置する浴室排水溝の斜視図である。
【図１２】図５に示される本発明の浴室排水口用ヌメリ取り器を設置する浴室排水溝の斜視図である。
【符号の説明】
１    リング状薬液供給体
２    円弧状薬剤収納容器
３    円弧状薬剤収納容器の外側周面
４    外側周面の外孔
５    円弧状薬剤収納容器の内側周面
６    内側周面の内孔
７    毛髪通過部
８    毛髪補集部
９    毛髪補集部の切取り予定部
１０    固形薬剤
１１    横長台形状薬剤収納容器
１２    薬剤収納容器連結棒
１３    上孔
１４    断面凹状の薬剤収納容器上面
１５    断面凹状の薬剤収納容器下面
１６    スリット
１７    リング状薬液供給体の切取り予定部
Ｍ    目皿
Ｄ    排水溝
Ｄ１  排水溝底面
Ｄ２  排水溝側壁面
Ｇ    排水溝の蓋
Ｈ    排水口
Ｐ１  排水口排水管
Ｐ２  浴槽排水管
【図１】
0003958637.tif 000002
【図２】
0003958637.tif 000003
【図３】
0003958637.tif 000004
【図４】
0003958637.tif 000005
【図５】
0003958637.tif 000006
【図６】
0003958637.tif 000007
【図７】
0003958637.tif 000008
【図８】
0003958637.tif 000009
【図９】
0003958637.tif 000010
【図１０】
0003958637.tif 000011
【図１１】
0003958637.tif 000012
【図１２】
0003958637.tif 000013